(57)【要約】【課題】画面を上向きにチルトさせることなく測色センサを用いた画像表示装置のキャリブレーションを行えるようにする。【解決手段】画像表示装置の上部に支持装置を載せて固定する固定部と、前記測色センサを保持する保持部と、前記固定部から前記保持部を吊り下げる吊り下げ部と、前記固定部に対して前記吊り下げ部を画面の左右方向に平行な軸周りに回転可能に支持する第一の回転機構と、前記吊り下げ部に対して前記保持部を画面の左右方向に平行な軸周りに回転可能に支持する第二の回転機構と、を備え、前記画像表示装置の画面が直立の姿勢において、前記第一の回転機構の回転中心を通る垂線と前記測色センサの重心の位置との距離をＡ、前記垂線と前記測色センサの受光面との距離をＢ、前記垂線と前記画面との距離をＣとした場合に、Ａ＞Ｃ−Ｂの関係が成り立つ支持装置。【選択図】図１
2014048458.tif 000002
【特許請求の範囲】
【請求項１】
画像表示装置のキャリブレーションに使用する測色センサを支持し画像表示装置に装着するための支持装置であって、
画像表示装置の上部に支持装置を載せて固定する固定部と、
前記測色センサを保持する保持部と、
前記固定部から前記保持部を吊り下げる吊り下げ部と、
前記固定部に対して前記吊り下げ部を画面の左右方向に平行な軸周りに回転可能に支持する第一の回転機構と、
前記吊り下げ部に対して前記保持部を画面の左右方向に平行な軸周りに回転可能に支持する第二の回転機構と、
を備え、
前記画像表示装置の画面が直立の姿勢において、前記第一の回転機構の回転中心を通る垂線と前記測色センサの重心の位置との距離をＡ、前記垂線と前記測色センサの受光面との距離をＢ、前記垂線と前記画面との距離をＣとした場合に、Ａ＞Ｃ−Ｂの関係が成り立つ支持装置。
【請求項２】
前記保持部は弾性部材を有し、前記測色センサを前記弾性部材の弾性力で挟持する請求項１に記載の支持装置。
【請求項３】
前記保持部は、前記測色センサを着脱自在に保持する請求項２に記載の支持装置。
【請求項４】
前記保持部は、前記垂線と前記測色センサの重心の位置との距離を近づける又は離す方向に前記測色センサを保持する位置を変更可能である請求項１〜３のいずれか１項に記載の支持装置。
【請求項５】
前記吊り下げ部は、前記測色センサからのケーブルを挟む留め部を有する請求項１〜４のいずれか１項に記載の支持装置。
【請求項６】
前記固定部は、前記画像表示装置の背面に支持装置を係止するための係止部を有する請求項１〜５のいずれか１項に記載の支持装置。
【請求項７】
前記係止部は、前記画像表示装置の外装部品の形状又は構造に支持装置を係止する形状を有する請求項６に記載の支持装置。
【請求項８】
前記係止部は、弾性変形する材質で形成される請求項６又は７に記載の支持装置。
【請求項９】
前記係止部は、絶縁性被膜が形成された軟質の金属で形成される請求項６〜８のいずれか１項に記載の支持装置。
【請求項１０】
画像表示装置のキャリブレーションに使用する測色センサを支持し画像表示装置に装着するための支持装置であって、
画像表示装置の上部に支持装置を載せて固定する固定部と、
前記測色センサを保持する保持部と、
前記固定部から前記保持部を吊り下げる吊り下げ部と、
前記固定部に対して前記吊り下げ部を画面の左右方向に平行な軸周りに回転可能に支持する第一の回転機構と、
前記吊り下げ部に対して前記保持部を画面の左右方向に平行な軸周りに回転可能に支持する第二の回転機構と、
前記画像表示装置の画面が直立の姿勢において、前記吊り下げ部を画面に近づける向き
に前記第一の回転機構により回転させる付勢力を発生する付勢部と、
を備える支持装置。
【請求項１１】
前記吊り下げ部は、前記第一の回転機構により回転可能な、前記固定部に対して左右方向で対称の位置に設けられる少なくとも２つの棒状部材を有する請求項１０に記載の支持装置。
【請求項１２】
前記保持部は、前記吊り下げ部の少なくとも２つ棒状部材の各々に設けられる保持板により前記測色センサを挟持する構造である請求項１１に記載の支持装置。
【請求項１３】
前記保持板には前記測色センサに当接する位置に弾性部材が設けられる請求項１２に記載の支持装置。
【請求項１４】
前記保持板は、前記棒状部材の各々を貫通するねじにより棒状部材に固定され、ねじを緩め又は締めることにより前記保持板が前記測色センサを挟持する力を調節可能である請求項１２又は１３のいずれか１項に記載の支持装置。
【請求項１５】
前記ねじの貫通孔は棒状部材に沿って上下方向に形成され、前記ねじを締結する位置を変更することにより前記保持板の位置を前記棒状部材に沿って上下方向で調節可能である請求項１４に記載の支持装置。
【請求項１６】
前記固定部は、厚肉のゴム成形品により構成され、画像表示装置の天面部に対する摩擦力により支持装置を固定する請求項１０〜１５のいずれか１項に記載の支持装置。
【請求項１７】
前記付勢部は、前記吊り下げ部を前記第二の回転機構により画面へ近づける向きへ付勢するコイルバネを有する請求項１０〜１６のいずれか１項に記載の支持装置。
【請求項１８】
前記吊り下げ部は、少なくとも２つの棒状部材により挟まれるように配置され該棒状部材を貫通する雄ねじを有するスペーサと、前記スペーサと各棒状部材との間に配置され棒状部材の間隔を広げる方向へ各棒状部材を付勢する付勢部材と、前記雄ねじに嵌合し締め付けることにより棒状部材の間隔を狭める方向へ各棒状部材を移動させる力を作用させるねじと、を有する請求項１１〜１５のいずれか１項に記載の支持装置。
【発明の詳細な説明】
【技術分野】
【０００１】
本発明は画像表示装置のキャリブレーションに用いる測色センサを支持して画像表示装置に装着するための支持装置に関するものである。
【背景技術】
【０００２】
テレビ、コンピュータの端末、広告媒体、医療用機器、画像製作などの用途に、モニタ（画像表示装置）が用いられている。これらの用途の中でも、表示される画像の質感や色などを創作編集するグラフィック関係で利用されるモニタでは、使用環境の明るさや色温度、または経時変化を考慮してキャリブレーションを実行し、画面の輝度、色温度、色域、γ値を調整する作業が必要である。キャリブレーションの一般的な作業手順は以下の通りである。
１．モニタ画面を上向きにチルト操作する。
２．キャリブレーションを行う測色センサをＰＣのＵＳＢポートに接続する。
３．キャリブレーションソフトを立ち上げて、輝度、色温度、色域、γ値の各目標値を設定する。
４．測色センサの０校正を実行する。
５．モニタに測定用パッチを表示する。
６．測色センサを表示されたパッチ領域内の画面に密着させる。
７．測色センサからＰＣへ測定データを送信する。
８．ＰＣがデータを基に計算と補正データをモニタへ出力する。
９．測色センサからＰＣへ再度測定データを送信する。
１０．ＰＣがデータを基に計算し、合致していればデータを保存する。
１１．測色センサをモニタ画面から外す。
１２．終了処理を実行して、測色センサをＵＳＢポートから外す。
１３．モニタ画面を作業用の向きにチルト操作で戻す。
【０００３】
図８は上記作業時のモニタと測色センサを示す図であり、（Ａ）は正面図、（Ｂ）はモニタ縦断面図の要部（測色センサ内部構造は省略）拡大図である。本図を用いて説明する。モニタ１０１はキャリブレーション作業による画質調整が必要となったモニタを表している。作業者は、モニタを支持するスタンドのチルト操作で表示画面を上向きに調整する。
【０００４】
パネル１０２はモニタ１０１が内蔵する液晶を利用した画像表示部を表している。構造体１０３はパネル１０２の背面に向かい合う位置に配置された金属部品であり、図では示さないが雌ねじや折り曲げ部、絞り部などがプレス加工により形成されている。電気実装部１０４は電源回路、入力回路、制御回路を含む電気基板で構成され、構造体１０３にねじで固定されている。
【０００５】
リアカバー１０５は電気実装部１０４の背面側を覆う外装部品であり、樹脂成型により所定の形状に加工されている。ベゼル１０６はパネル１０２の前面から側面を覆う外装部品であり、樹脂成型により所定の形状に加工されている。尚、リアカバー１０５との嵌合構造は図示省略している。測色センサ１１０は固体撮像素子と分光器を組み合わせたキャリブレーション用の光センサであり、パネル１０２に密着させて表示された発光色を測定する機能を有している。
【０００６】
ＵＳＢケーブル１１１は測色センサ１１０からの測定データをＰＣ（図示省略）へ取り込むための通信ケーブルである。重り１１２は内部の貫通穴にＵＳＢケーブル１１１を通
過させる構造を有しており、ＵＳＢケーブル１１１に対する位置を変更できるように、わずかな摩擦力を持って摺動する材質で形成されている。
【０００７】
接触部１１３は測色センサ１１０とパネル１０２との密着部を示している。測色センサ１１０には、発光色を測定する際には周囲の環境光が測色センサ１１０に回り込まないための遮光性が必要である。接触部１１３によりそれが実現される。
【０００８】
スタンド１１４はモニタ１０１を利用する作業者の見やすさを確保するために、スイーベル（左右旋回機能）、昇降（高さ調整機能）、チルト（上下傾き調整機能）の各機構を有する支持構造体である。尚、モニタ１０１を上向きにチルトさせるのは、測色センサ１１０の受光面をパネル１０２に確実に密着させるためである。特許文献１には、液晶表示装置のキャリブレーション装置とその測定方法、コンピュータープログラムが提案されている。
【先行技術文献】
【特許文献】
【０００９】
【特許文献１】特開2008-165083号公報
【発明の概要】
【発明が解決しようとする課題】
【００１０】
以上説明した従来のキャリブレーション作業では、以下に述べる問題が生じていた。第一に測色センサを画面に密着させるためにはモニタを上向きにチルトさせなければならない。第二に、測色センサの位置合わせのために、作業者が重りの位置や垂らすＵＳＢケーブル長を、毎回調節する必要がある。
【００１１】
そこで本発明は、画面を上向きにチルトさせることなく測色センサを用いた画像表示装置のキャリブレーションを行えるようにすることを目的とする。
【課題を解決するための手段】
【００１２】
本発明は、画像表示装置のキャリブレーションに使用する測色センサを支持し画像表示装置に装着するための支持装置であって、
画像表示装置の上部に支持装置を載せて固定する固定部と、
前記測色センサを保持する保持部と、
前記固定部から前記保持部を吊り下げる吊り下げ部と、
前記固定部に対して前記吊り下げ部を画面の左右方向に平行な軸周りに回転可能に支持する第一の回転機構と、
前記吊り下げ部に対して前記保持部を画面の左右方向に平行な軸周りに回転可能に支持する第二の回転機構と、
を備え、
前記画像表示装置の画面が直立の姿勢において、前記第一の回転機構の回転中心を通る垂線と前記測色センサの重心の位置との距離をＡ、前記垂線と前記測色センサの受光面との距離をＢ、前記垂線と前記画面との距離をＣとした場合に、Ａ＞Ｃ−Ｂの関係が成り立つ支持装置である。
【００１３】
本発明は、画像表示装置のキャリブレーションに使用する測色センサを支持し画像表示装置に装着するための支持装置であって、
画像表示装置の上部に支持装置を載せて固定する固定部と、
前記測色センサを保持する保持部と、
前記固定部から前記保持部を吊り下げる吊り下げ部と、
前記固定部に対して前記吊り下げ部を画面の左右方向に平行な軸周りに回転可能に支持
する第一の回転機構と、
前記吊り下げ部に対して前記保持部を画面の左右方向に平行な軸周りに回転可能に支持する第二の回転機構と、
前記画像表示装置の画面が直立の姿勢において、前記吊り下げ部を画面に近接させる向きに前記第一の回転機構により回転させる付勢力を発生する付勢部と、
を備える支持装置である。
【発明の効果】
【００１４】
本発明によれば、画面を上向きにチルトさせることなく測色センサを用いた画像表示装置のキャリブレーションを行えるようになる。
【図面の簡単な説明】
【００１５】
【図１】画像表示装置に測色センサと固定装置を装着した要部縦断面図
【図２】固定装置の三面図であり（Ａ）は正面図、（Ｂ）は背面図、（Ｃ）は上面図
【図３】固定装置と画像表示面との位置関係を表す概念図
【図４】画像表示装置に測色センサと固定装置を装着した要部縦断面図
【図５】固定装置の三面図であり（Ａ）は正面図、（Ｂ）は側面図、（Ｃ）は上面図
【図６】固定装置の幅調整を実施した正面図
【図７】固定装置の奥行調整を実施した側面図
【図８】従来例の測色センサを画像表示装置に装着した図
【発明を実施するための形態】
【００１６】
（実施例１）
図１は本発明の特徴をもっともよく表す、画像表示装置に測色センサと支持装置を装着した要部縦断面図であり、図２は本発明の支持装置の三面図であり、（Ａ）は正面図、（Ｂ）は背面図、（Ｃ）は上面図である。尚、上面図では測色センサを省略している。以上の図面を用いて、まず構造の特徴を説明する。
【００１７】
画像表示装置（以下、モニタと記す）１は薄型のフラットパネルを利用し、ＰＣ等の画像出力装置に接続して画像信号に基づく画像を表示する装置であり、画面サイズ１５インチ程度のものから３０インチを超えるものまでが一般的である。
【００１８】
パネル２は、透過型の液晶パネルとバックライトを組み合わせた薄型の画像表示ユニットであり、前面はガラス平板表面に光学フィルムを貼り合わせている。
構造体３はパネル２の背面に向かい合う位置に配置された金属部品であり、図では示さないが雌ねじや折り曲げ部、絞り部などがプレス加工により形成され、パネル２を固定している。
【００１９】
電気実装部４は電源回路、入力回路、制御回路を含む電気基板で構成され、構造体３の折り曲げ部に設けた雌ねじに雄ねじで固定されている。
リアカバー５は電気実装部４の背面側を覆う外装部品であり、樹脂成型により所定の形状に加工されている。
放熱孔５-aはリアカバー５の上部付近に複数設けられた貫通部であり、内部の電気実装部４やパネル２で発生する熱を逃がす目的で配置されている。
【００２０】
ベゼル６はパネル２の前面、上面、側面を覆う外装部品であり、樹脂成型により所定の形状に加工されている。尚、リアカバー５との嵌合構造は図示省略している。
支持装置７は後述の測色センサ２０をモニタ１に装着するための装置であり、ねじなどの締結手段を必要とせずに着脱が可能である。
固定部８はベゼル６の天面部に載せる支持装置７の構成ユニットの一部であり、樹脂成
型で所定の形状に加工されている。
【００２１】
フック８-aは固定部８の後方に溶着固定したフック形状を有する金属部品であり、放熱孔５-aの内部に先端を引っかけて固定することができる。金属素材ではあるが、軟質で針金のように手で曲げることができるため、種々のモニタの形状に合わせることが可能である。更に表面には絶縁性被膜が形成されている。フック８-aはユーザが画像表示装置の外装部品の形状又は構造（開口部、凹部、凸部など）に応じて変形させることで画像表示装置に係止することが可能な弾性変形可能な部材により構成することができる。
吊り下げ部９は固定部８の前方で、回転可能に締結された断面コの字の樹脂成型部品であり、モニタ１の正面方向から見て外観品位を保つためにシボ加工が施されている。
【００２２】
第一ヒンジ１０は固定部８の前方に一体的に形成した第一の回転機構であり、吊り下げ部９を貫通する回転軸（図示省略）を有している。
保持部１２は吊り下げ部９の断面コの字内部下端部に設けた部品であり、熱可塑性ポリエステルエラストマーで加工して弾性を有している。
第二ヒンジ１３は吊り下げ部９の断面コの字内部下端部に接着した回転軸であり、保持部１２の上部貫通穴に嵌合し、保持部１２は吊り下げ部９に対して回転可能に締結される。
【００２３】
ケーブルクランプ１４は吊り下げ部９の断面コの字内部に一体的に形成された凸状部であり、後述のＵＳＢケーブルを挟む機能を有している。
測色センサ２０は後述の受光素子、光学系及び電気回路を内蔵する測定装置であり、測定精度、大きさ、価格の異なる様々な製品が市販されている。
遮光部２１は測色センサ２０の光学系に周囲の環境光が入り込むことを防止する目的の環状部品であり、パネル２の表示面に密着するように柔らかなゴム系材料で形成している。
【００２４】
光学系２２はパネル２から発する光を、後述の受光素子へ集光するためにレンズを組み合わせたユニットであり、低反射素材の円筒部内に前記レンズを配置している。
受光素子２３は固体撮像素子と分光器を組み合わせたキャリブレーションに最適な光センサであり、受光したパネル２から発する光をＲ、Ｇ、Ｂ各色に分離した後の光を電気信号に変換する。
増幅回路２４は受光素子２３が変換したＲ、Ｇ、Ｂ各色の電気信号を増幅して出力する機能と、受光素子２３に電力を供給する機能を有する電気回路である。
【００２５】
ケース２５は光学系２２、受光素子２３、増幅回路２４を収納する外装部品であり、内部への埃や水分の進入を防ぐ構造である。
ＵＳＢケーブル２６は測色センサ２０の増幅回路２４で増幅された出力信号をＰＣ（図示省略）へ取り込むための通信ケーブルであり、測色センサ２０への電力供給の機能も有している。
次に、図３の固定装置と画像表示面との位置関係を表す概念図（縦断面）を用いて、本発明の構造の特徴について説明する。図３は画像表示装置の画面が直立の姿勢の状態を示している。
【００２６】
垂線３０は第一ヒンジ１０の回転中心（吊り下げ部９が回転する中心）を通過する架空の垂線である。ここで、垂線３０は、第一ヒンジ１０の回転軸（図３の紙面に垂直の直線）に垂直かつパネル２の表示面に平行かつ第一ヒンジ１０の回転軸と交わる直線（図３の一点鎖線）を意味する。水平の設置面にパネル２が直立している状態で垂線３０は鉛直方向と平行となる。
重心３１は測色センサ２０の重心位置を表している。
Ａは垂線３０と重心３１との距離を表し、Ｂは垂線３０と測色センサ２０の遮光部２１先端部（受光面）との距離を表し、Ｃは垂線３０とパネル２の表示面との距離を表している。以上の３つの値Ａ、Ｂ、Ｃは以下の関係を満たす。
Ａ＞Ｃ−Ｂ
【００２７】
以上の構成による固定装置を用いて測色センサをモニタに装着しキャリブレーションを行う場合の作業者の手順を説明する。
１．固定部８、吊り下げ部９、保持部１２で構成された支持装置を取り出す。
２．市販の測色センサ２０を取り出す。
３．保持部１２の内側に測色センサ２０を嵌めるため、保持部１２の左右湾曲部を広げる４．保持部１２に測色センサ２０を挿入し、図２で示す位置に合わせて保持部１２の左右湾曲部から手を離す。
５．測色センサ２０が支持装置７に固定されたことを確認後、ＵＳＢケーブル２６を吊り下げ部９の内部に沿わせる。
６．ケーブルクランプ１４に嵌めた後のＵＳＢケーブル２６を第一ヒンジ１０を越えて、固定部８の後方に引き出す。
７．支持装置７のフック８-aを放熱孔５-aに引っ掛け（図１参照）、固定部８をベゼル６に載せる。
８．遮光部２１とパネル２の表示面の密着具合を確認し、隙間がある場合はフック８-aの屈曲具合を調整して第一ヒンジ１０をモニタ１の背面方向に移動し、垂線３０をパネル２へ近づける。この時図３で説明した３つの値Ａ、Ｂ、ＣがＡ＞Ｃ−Ｂを満たしていれば、遮光部２１とパネル２の表示面が密着する。
９．ＰＣを操作してキャリブレーション作業を実施する。
１０．キャリブレーションが完了した後は、上記１項から７項の手順を逆に実行して、キャリブレーション作業を終了する。
【００２８】
以上説明した構成をまとめると、本実施例の支持装置は以下の特徴を有する。
１．測色センサ２０をモニタ１に装着するための支持装置７は、固定部８、吊り下げ部９、保持部１２で構成した。
２．固定部８はベゼル６の天面部に載せる構造で、モニタ１画面正面から見て後方端にフック８-aを設け、放熱用の開口部である放熱孔５-aの内部に先端を引っかけて固定する
３．支持装置をモニタ１の背面に係止する係止部であるフック８-aの素材はユーザ（作業者）が手で変形させることができる材質（軟質の金属）である。更に表面には絶縁性被膜が形成されている。
４．固定部８の前方に一体的に形成した第一ヒンジ１０により、吊り下げ部９は回転可能に支持される。
５．吊り下げ部９は断面コの字の樹脂成型部品であり、表側はシボ加工が施され、内側にはケーブルクランプ１４が形成されている。
６．吊り下げ部９の下端部に設けた第二ヒンジ１３により、保持部１２は回転可能に支持される。
７．保持部１２は熱可塑性ポリエステルエラストマーで加工した弾性素材で形成されているため、手で押し広げて測色センサ２０を挿入して挟持できる。
８．第一ヒンジ１０を通過する垂線３０と測色センサ２０の重心との距離をＡ、垂線３０と遮光部２１先端との距離をＢ、垂線３０とパネル２の表示面との距離をＣとした時、Ａ＞Ｃ−Ｂという関係が成り立つ構造を有している。
９．上記のＡ＞Ｃ−Ｂという関係を成立させるため、フック８-aの屈曲具合を調整して第一ヒンジ１０の前後方向の位置が調整可能である。
【００２９】
尚、Ａ＞Ｃ−Ｂという関係を成立させるための他の方法として、固定部８の前後方向（モニタの奥行方向）を調整できる摺動機構を固定部８に設けて、第一ヒンジ１０の位置を調整してもよい。
【００３０】
以上の特徴により、本構成によれば以下の効果がある。
１．測色センサをモニタに装着するための支持装置は、固定部の第一ヒンジで吊り下げ部を回転可能に支持し、吊り下げ部の第二ヒンジで保持部を回転可能に支持した。そのため、測色センサはパネル表示面に傾き無く向かい合うため、キャリブレーションの測定精度が向上する。
２．測色センサの保持部を弾性部材で形成し、弾性力で測色センサを着脱自在に保持するため着脱が容易で、かつ様々な寸法や形状の測色センサに適用可能であるため、固定装置の汎用性が増す。
３．フックの屈曲部を調整することにより第一ヒンジの前後位置を変更可能である。そのため、パネル表示面に測色センサを密着でき、キャリブレーションの測定精度が更に向上する。
４．上記位置調整によりＡ＞Ｃ−Ｂという関係を成立させることにより、モニタをチルト操作せずにキャリブレーション作業が実施可能となり、作業性が向上する。
５．固定部がモニタ天面に載り、フックがモニタ放熱孔に挿入可能な構造であるため、ねじなどの締結手段を必要とせずに着脱が可能であるため、作業性が向上する。
６．フックを軟質金属で形成したため、放熱孔の位置や厚みが異なるモニタにも対応できるので、固定装置の汎用性が増す。
７．フック表面に絶縁被膜を形成したので、放熱孔への挿入で感電することを防止できる。
８．吊り下げ部を断面コの字形状として外部表面にシボを形成し、内部にケーブルクランプを設けてＵＳＢケーブルを配線可能としたため、外観品質が向上する。
【００３１】
尚、固定部に前後方向に摺動可能な機構を設けることによる第一ヒンジ位置の調整でも、パネル表示面に測色センサを密着できるため、キャリブレーションの測定精度が向上する。また、本実施例では、フックをモニタの放熱孔に挿入して固定部を装着したが、これに限らない。フックを挿入、嵌合または係止などが可能な、モニタのその他の構造を利用して、固定部を装着してもよい。
【００３２】
（実施例２）
図４は本発明の第二の実施例の支持装置により画像表示装置に測色センサを装着した状態の要部縦断面図である。図５は本発明の第二の実施例の支持装置の三面図であり、（Ａ）は正面図、（Ｂ）は側面図、（Ｃ）は上面図である。尚、上面図では測色センサを省略している。
以上の図面を用いて、構造の特徴を説明するが、実施例１と同じ構成や同じ部品については説明を省略する。
【００３３】
支持装置４０は後述の測色センサ４６をモニタ１に装着するための装置であり、ねじなどの締結手段を必要とせずに着脱が可能である。
固定部４１はベゼル６の天面部に載せる支持装置４０の構成ユニットの一部であり、ゴム成型で所定の形状に加工されている。厚肉であるため質量があり、ベゼル６に対して滑り難い。
ケーブル溝４２は固定部４１の前後に一体的に形成された細い溝からなり、ＵＳＢケーブル２６を収納可能な寸法となっている。
【００３４】
吊り下げ部４３は固定部４１の前方で、回転可能に締結されたほぼ平行な二本の角棒からなり、軽量なアルミ合金製の部品である。所定の位置に複数の貫通部が形成されている
。なお、本実施例は本発明の一例であり、吊り下げ部は少なくとも２本の棒状部材により構成することができる。
幅調整部４４は吊り下げ部４３の中央付近に設けた貫通部を利用して配置されたユニットであり、吊り下げ部４３を構成する二本の角棒の間隔を調整する機能を有している。
保持部４５は吊り下げ部４３の下方に設けた貫通部を利用して配置されたユニットであり、左右対称形状を有している。左右の保持部４５により測色センサ４６を回転可能に挟持する機能を有している。
【００３５】
測色センサ４６は実施例１と同様の機能部品を内蔵する測定装置であるが、測定精度が実施例１と異なり、大きさも拡大した製品である。
遮光部４７は測色センサ４６の光学系に周囲の環境光が入り込むことを防止する目的の環状部品であり、パネル２の表示面に密着するように柔らかなゴム系材料で形成している。
回転部４８は吊り下げ部４３の上端に設けた第二の回転機構であり、固定部４１から延びる回転軸（図示せず）回りに回転可能、かつ抜け止め構造（図示せず）を有している。
【００３６】
第一コイルバネ４９は吊り下げ部４３をモニタ１のパネル２方向に付勢するコイルバネであり、一端は固定部４１の上面、他端は吊り下げ部４３の前面に位置し、左右対称に二つの第一コイルバネ４９は向かい合う配置である。
バネホルダー５０は固定部４１と回転部との間に配置した円形部品であり、中央部に形成した溝に第一コイルバネ４９が位置決めされる。バネホルダー５０は固定部４１の左右に向かい合うように配置されている。
【００３７】
スペーサ５１は幅調整部４４を構成する主要部品であり、左右の吊り下げ部４３に挟まれるように配置される。スペーサ５１はアルミ合金製で旋盤加工により所定の形状に加工されている。
雄ねじ５２はスペーサ５１の両端に一体的に形成されたねじであり、吊り下げ部４３の中央付近に設けた貫通部を貫通して支持されている。
調整雌ねじ５３は雄ねじ５２に嵌合するねじであり、外周にはローレット加工が施されて手で回しやすい形状である。調整雌ねじ５３は吊り下げ部４３の左右に向かい合うように配置される。
【００３８】
第二コイルバネ５４は吊り下げ部４３の二本の角棒の内壁とスペーサ５１との間に介在する圧縮コイルバネであり、スペーサ５１の両端部に向かい合うように配置され、コイル形状の内部を雄ねじ５２が貫通している。
座金５５は、第二コイルバネ５４の抜け止めとしてスペーサ５１の両端に装着されている。
角度調整ねじ５６は手で回しやすいように外周にローレット加工を施したツマミを有する雄ねじであり、吊り下げ部４３に設けた貫通部を通過するように、左右向かい合うように配置されている。
【００３９】
保持板５７は中央部に雌ねじが加工された金属部品であり、角度調整ねじ５６の雄ねじ部が嵌合する。
弾性部５８は保持板５７に接着固定した弾性部材であり、測色センサ４６を挟持するために摩擦力の大きいゴム系素材が使用されている。
長穴５９は吊り下げ部４３の下方に設けた貫通部であり、角度調整ねじ５６の雄ねじ部が貫通する。
【００４０】
次に本実施例の支持装置４０の使い方について説明する。図６は支持装置４０の幅調整を実施した場合の正面図であり、図７は支持装置４０の奥行調整を実施した場合の側面図
である。
【００４１】
まず、図６において、測色センサ６０は前記説明の測色センサ４６よりも横幅が大きい想定であり、その場合の作業手順は以下の通りである。
１．測色センサ６０を支持装置４０の脇に置く。
２．吊り下げ部４３に設けた左右の保持部４５の間隔と測色センサ６０の横幅を比較する。
３．調整雌ねじ５３を左右ともに緩む方向に回転させて左右の保持部４５をＢ、Ｂ’方向に移動させる。
４．第二コイルバネ５４により、吊り下げ部４３の間隔が広がっていくことを確認する。５．測色センサ６０の横幅よりも吊り下げ部４３の間隔が広くなったところで、左右の保持部４５の間に測色センサ６０を仮に配置する。
６．角度調整ねじ５６を左右ともに緩める。
７．保持部４５は長穴５９をガイドとして上下に移動可能となるので、測色センサ６０の上下方向の中央付近に保持部４５を合わせる。
８．調整雌ねじ５３を締め付ける方向に回し、左右の弾性部５８が共に測色センサ６０を挟持することを確認する。
９．角度調整ねじ５６を左右ともに締め付ける。
１０．右手で保持部４５付近、左手で固定部４１を持ち、モニタ１のベゼル６天面に固定部４１を載せる。この時に測色センサ６０をパネル２の表示面に静かに密着させるよう、右手で調整する。
１１．最後にＵＳＢケーブル２６の処理を行う。
なお、右手左手は作業者の任意で良い。
【００４２】
次に図７において、装着されるモニタ１の厚みがより厚い機種に変更して、キャリブレーションを行う場合に、吊り下げ部４３の位置を合わせる作業の手順を例示する。
尚、幅調整で実施した作業の１項から１０項までは同一であり、説明を省略する。
１．支持装置４０を装着した際、モニタ１の厚みが増したため、パネル２の表示面に対して遮光部４７は傾いている。固定部４１に対する吊り下げ部４３が成す角度がＡ方向に広がったためである。
２．左右の角度調整ねじ５６を少し緩める。この時、幅調整部４４が吊り下げ部４３の左右角棒の間隔を規定しているため、測色センサ４６が落下することは無い。
３．測色センサ４６を角度調整ねじ５６を回転中心として回転させて、パネル２の表示面に密着させる。
４．角度調整ねじ５６を締め付ける。
５．最後にＵＳＢケーブル２６の処理を行う。
【００４３】
以上説明した構成をまとめると、本実施例の支持装置は以下の特徴を有する。実施例１と異なる特徴を中心に説明する。
１．測色センサ４６をモニタ１に装着するための支持装置４０は、固定部４１、吊り下げ部４３、幅調整部４４、保持部４５で構成した。
２．固定部４１はベゼル６の天面部に対して滑り難いように、厚肉であるため質量があるゴム成形品を採用した。
３．吊り下げ部４３は、アルミ合金製でほぼ平行な二本の角棒からなり、固定部４１に回転可能に締結されている。また所定の位置に複数の貫通部が形成されている。
４．幅調整部４４は吊り下げ部４３を構成する二本の角棒の間隔を調整する機能を有している。
５．保持部４５は測色センサ４６を回転可能に挟持する機能を有している。
６．吊り下げ部４３と固定部４１との締結部は回転部４８、第一コイルバネ４９、バネホルダー５０で構成される付勢部であり、バネ力により吊り下げ部４３をパネル２方向に回
転させる付勢力を発生する。バネホルダー５０により第一コイルバネ４９は安定的に作用し続ける。
７．幅調整部４４は、２つの角棒の間に挟まれるように配置され該角棒を貫通する雄ねじ５２を両端に形成したスペーサ５１、角棒とスペーサ５１の間に配置され角棒の間隔を広げる方向へ各角棒を付勢する付勢部材である第二コイルバネ５４、座金５５を配置した。該角棒を貫通した左右雄ねじ５２に対して、角棒の外側から調整雌ねじ５３を締結する構造とした。そのため、雌ねじ５３を緩めれば左右角棒の間隔が広がり、締め付ければ間隔が狭まるので、測色センサ４６の左右方向における幅に適合できる。
８．保持部４５は吊り下げ部４３の角棒の左右外側から角度調整ねじ５６を貫通させ、左右角棒の内側に、雌ねじが加工された保持板５７、測色センサ４６に当接する弾性部５８で構成した。そのため、測色センサ４６を回転可能に、滑ることを抑制しつつ挟持することができる。挟持する測色センサ４６の前後方向の厚みやモニタの厚みが変化して、遮光部４７とパネル２の表示画面とが密着しない場合でも、角度調整ねじ５６を緩めて測色センサ４６の角度を調節することで、遮光部４７をパネル２の表示画面に密着させることが可能である。
９．保持部４５は吊り下げ部４３の下方に設けた角棒に沿って上下方向に形成された貫通孔である長穴５９に沿って移動できるため、パネル２の表示画面に対する測色センサ４６の上下方向（高さ）の位置を調節可能である。角度調整ねじ５６を緩めて移動し、締め付けて固定することができる。
１０．固定部４１に設けたケーブル溝４２にＵＳＢケーブル２６を収納可能である。
１１．調整雌ねじ５３、角度調整ねじ５６にはそれぞれ外周にローレット加工を施した。
【００４４】
以上の特徴により、本構成によれば以下の効果がある。
１．測色センサをモニタに装着するための支持装置は、固定部と吊り下げ部との回転機構に設けた第一コイルバネとバネホルダーにより、吊り下げ部をパネル方向に付勢する機構とした。そのため、モニタを下向きにチルト調整した状態でも測色センサがパネル表示面に密着し、キャリブレーション作業が可能となる。
２．スペーサ、第二コイルバネ、座金で構成した幅調整部を吊り下げ部に設けたため、吊り下げ部を構成する左右角棒の間の距離を調整雌ねじにより可変可能となったため、装着可能な測色センサの左右方向における幅の寸法制約が小さくなり、汎用性が拡大した。
３．保持板、弾性部を吊り下げ部の左右角棒の内側に配置し、外側から角棒を貫通する角度調整ねじを締結した。そのため、測色センサを挟持した状態で測色センサの上下方向の傾き（左右方向の軸周りの回転角度（チルト角度））が調整可能となった。それにより、モニタの厚みの影響を抑制し種々の厚みのモニタにおいて測色センサをパネルの表示面に密着させることができるようになった。そのためキャリブレーションに使用できるモニタの厚み制約が小さくなり、汎用性が拡大した。
４．角度調整ねじを緩めて保持部が吊り下げ部に設けた長穴に沿って移動できるため、パネルの表示画面に対する測色センサの上下方向（高さ）の調整ができる。そのため種々の画面寸法のパネルに測色センサを装着するために本実施例の支持装置を使用可能となって汎用性が拡大する。また支持装置を移動させずに測定できるパネルの表示画面上の範囲が拡大するため、キャリブレーションの作業性が向上する。
５．ＵＳＢケーブルは固定部に設けた溝に収納できるため、外観性が向上した。
６．幅調整や角度調整の際に緩めたり締め付けるねじに滑り止めを設けたので作業性が良い。
【符号の説明】
【００４５】
７、４０  支持装置；  ８、４１  固定部；  ９、４３  吊り下げ部；  １０  第一ヒンジ；  １２、４５  保持部；  １３  第二ヒンジ；  ２０、４６、６０  測色センサ
【図１】
2014048458.tif 000003
【図２】
2014048458.tif 000004
【図３】
2014048458.tif 000005
【図４】
2014048458.tif 000006
【図５】
2014048458.tif 000007
【図６】
2014048458.tif 000008
【図７】
2014048458.tif 000009
【図８】
2014048458.tif 000010